(57)【要約】【課題】  起伏自在の背部支持フレームを備えているベッドフレームにおいて、背部支持フレームを起立した際に、起こした身体の腰部を係止状態に支持して上半身がマットレス上で下方にずれるのを防止し、安楽な姿勢を保持し得るようにする。【解決手段】  モータ11により上下方向に回動する杆体12によってベッドフレーム１上で起伏する背部支持フレーム３において、この背部支持フレーム３の長さ方向の中間部両側に前後方向に回動するアーム片７、７を設けると共にこれらのアーム片７、７間に腰部押上げバー８を取付けてアーム片７、７を背部支持フレーム３の起伏動作に連動して前後に回動させ、起立時に上記腰部押上げバー８を背部支持フレーム３から突出させてマットレス16における腰部支持部分を凸部16a に湾曲変形させ、この凸部16a によって身体の腰部を係止状態に支持するように構成している。【選択図】    図２
2009247628.tif 000002
【特許請求の範囲】
【請求項１】
脚部支持フレームと起伏自在な背部支持フレームとを備えているベッドフレームにおいて、背部支持フレームの長さ方向の中間部に、この背部支持フレームの起伏動作に連動してこの背部支持フレームの両側フレーム部間から背部支持フレームの正面側に向かって出没自在な腰部押上げバーを配設していることを特徴とするベッドにおける背部支持フレームのリクライニング装置。
【請求項２】
背部支持フレームの長さ方向の中間部両側にリンク部材の上端部を前後方向に回動自在に枢着してこのリンク部材を背部支持フレームの起伏動作に連動して上記上端枢着部を支点として回動させるように構成していると共に、このリンク部材の後面にアーム片を後方に向かって一体に突設してこれらの両側アーム片の先端部間に上記リンク部材の前後動によって背部支持フレームの前後長さ方向の中間部から出没可能な腰部押上げバーを取付けていることを特徴とする請求項１に記載のベッドにおける背部支持フレームのリクライニング装置。
【請求項３】
背部支持フレームの両側部背方におけるベッドフレームの両側下部にモータの駆動によって上下方向に回動して背部支持フレームを起伏させる杆体を配設していると共に、背部支持フレームの基端枢着部の前方近傍部におけるベッドフレームの両側枠部に基端リンク片を前後方向に回動自在に枢着すると共にこの基端リンク片の先端を中間リンク片を介してこの中間リンク片の上端部に腰部押上げバーを設けているアーム片を有するリンク部材の下端部を枢着し、上記杆体による背部支持フレームの起伏動に連動して上記基端レンク片と中間リンク片を介し、上記リンク部材を前後動させて腰部押上げバーを設けているアーム片を背部支持フレームの中間部から出没させるように構成していることを特徴とする請求項１又は請求項２に記載のベッドにおける背部支持フレームのリクライニング装置。
【請求項４】
背部支持フレームの先端部に頭部支持フレームを起伏自在に枢着すると共に、この頭部支持フレームの背面にモータ駆動によって上下方向に回動する杆体の先端部を連結してこの杆体の作動によって起伏する頭部支持フレームの起伏動作に連動して背部支持フレームを起伏させるように構成していることを特徴とする請求項１、請求項３又は請求項３に記載のベッドにおける背部支持フレームのリクライニング装置。
【発明の詳細な説明】
【技術分野】
【０００１】
本発明はベッドにおける背部支持フレームのリクライニング装置であって、特に、この背部支持フレームが起立した際に腰部を安定的に支持しえる機構を備えたリクライニング装置に関するものである。
【背景技術】
【０００２】
従来から、ベッドフレームに背部支持フレームと脚部支持フレームとを配設してこれらのフレーム上にマットレスを載置してなるベッドにおいて、上記脚部支持フレーム側に対して背部支持フレームを起伏可能に構成することにより、上半身を簡単に起こせるようにしたベッドが広く知られており、例えば、特許文献１や特許文献２に記載されているように、背部支持フレームの背面における前端部にアーム部材を連結し、このアーム部材の基端側を油圧シリンダ等の駆動手段に連結してこの駆動手段を作動させることによりアーム部材を上下方向に回動させて背部支持フレームを起伏させるように構成したベッドが開発されている。また、脚部支持フレームも上方に向かって山形状に折り曲げ可能に構成して身体の脚を膝部から曲げた状態で支持するように構成したベッドも知られている。
【０００３】
【特許文献１】特許第３４０７９６２号公報
【特許文献２】特開２００３−２４３９３号公報
【発明の開示】
【発明が解決しようとする課題】
【０００４】
上記背部支持フレームは身体における腰部から肩部までの背面を支持した状態で起伏動作を行うが、起立する際には、腰部に上半身の荷重がかかってマットレス上で尻部を脚部側に摺動移動させながら腰部が背部支持フレームの下端部から脚部支持フレーム側へと移動して尻部を支持していたマット部側に向かって位置ずれを起こし、腰部がマット側に押し付けられるように前屈み状態に湾曲した不安定な起立姿勢となって苦痛を伴う虞れがあった。このため、起立した後にマットレス上で両手を突っ張ることにより、上半身を持ち上げて背部支持フレーム下端部に腰部を沿わせる動作を行っているが、力のない病人や老人ではこのような動作を行うことが困難であるといった問題点があった。
【０００５】
また、起立した背部支持フレーム上のマットレス部に上半身を腰部から肩部まで支持させた状態にしても、上半身の全荷重が腰部からマットレス上に載せている尻部に直接、掛かった状態となるため、この姿勢を長時間保持するのが困難となるばかりでなく、その荷重によって上記同様に尻部がマットレス上を脚部側に滑りながら腰部が尻部を支持していたマットレス部側にずれ、容易に不安定な起立姿勢になるといった問題点があった。
【０００６】
本発明はこのような問題点に鑑みてなされたもので、その目的とするところは、簡単な機構によって背部支持フレームの起立時、及び、起立後において、腰部を積極的に支持して腰部が尻部側に移動するのを抑制するとともに腰部に掛かる負担を減少させ、上半身を安楽な姿勢でもって背部支持フレーム上のマットレス部の定位置に安定した状態で保持させておくことができるベッドにおける背部支持フレームのリクライニング装置を提供するにある。
【課題を解決するための手段】
【０００７】
上記目的を達成するために、本発明のベッドにおける背部支持フレームのリクライニング装置は、請求項１に記載したように、脚部支持フレームと起伏自在な背部支持フレームとを備えているベッドフレームにおいて、背部支持フレームの長さ方向の中間部に、この背部支持フレームの起伏動作に連動してこの背部支持フレームの両側フレーム部間から背部支持フレームの正面側に向かって出没自在な腰部押上げバーを配設していることを特徴とする。
【０００８】
このように構成したベッドにおける背部支持フレームのリクライニング装置において、請求項２に係る発明は、背部支持フレームの前後長さ方向の中間部両側にリンク部材の上端部を前後方向に回動自在に枢着してこのリンク部材を背部支持フレームの起伏動作に連動して上記上端枢着部を支点として前後方向に回動させるように構成していると共に、このリンク部材の後面にアーム片を後方に向かって一体に突設してこれらの両側アーム片の先端部間に上記リンク部材の前後動によって背部支持フレームの前後長さ方向の中間部から出没可能に腰部押上げバーを取付けた構造としている。
【０００９】
さらに、請求項３にに係る発明は、上記背部支持フレームの両側部背方におけるベッドフレームの両側下部にモータの駆動によって上下方向に回動して背部支持フレームを起伏させる杆体を配設していると共に、背部支持フレームの基端枢着部の前方近傍部におけるベッドフレームの両側枠部に基端リンク片を前後方向に回動自在に枢着すると共にこの基端リンク片の先端を中間リンク片を介してこの中間リンク片の上端部に腰部押上げバーを設けているアーム片を有するリンク部材の下端部を枢着し、上記杆体による背部支持フレームの起伏動に連動して上記基端レンク片と中間リンク片を介し、上記リンク部材を前後動させて腰部押上げバーを設けているアーム片を背部支持フレームの中間部から出没させるように構成している
【００１０】
また、請求項４に係る発明は、背部支持フレームの先端部に頭部支持フレームを起伏自在に枢着すると共に、この頭部支持フレームの背面にモータ駆動によって上下方向に回動する杆体の先端部を連結してこの杆体の作動によって起伏する頭部支持フレームの起伏動作に連動して背部支持フレームを起伏させるように構成している。
【発明の効果】
【００１１】
請求項１に係る発明によれば、背部支持フレームの長さ方向の中間部に、この背部支持フレームの起伏動作に連動してこの背部支持フレームの両側フレーム部間から背部支持フレームの正面側に向かって出没自在な腰部押上げバーを配設しているので、背部支持フレームを起立させると、腰部押上げバーが背部支持フレームの正面側に押し出されて身体の腰部を載置させているマットレス部分を腰部に向かって山形状に湾曲変形させて腰部を支持する凸部を形成することができ、従って、この凸部によって腰部を係止状態に支持して上半身が背部支持フレーム上のマットレスに沿って下方にずれたり、身体が前屈み状態になるのを確実に防止することができて、姿勢の良い安定した状態で長時間に亘り安楽な起立姿勢を保持することができる。
【００１２】
さらに、背部支持フレームを起立状態から倒伏させると、腰部押上げバーが後退して腰部を支持しているマットレスの上記凸部がなくなり、何らの違和感を受けることなく就寝することができる。
【００１３】
また、請求項２に係る発明によれば、背部支持フレームの前後長さ方向の中間部両側にリンク部材の上端部を前後方向に回動自在に枢着してこのリンク部材を背部支持フレームの起伏動作に連動して上記上端枢着部を支点として前後方向に回動させるように構成していると共に、このリンク部材の後面にアーム片を後方に向かって一体に突設してこれらの両側アーム片の先端部間に上記リンク部材の前後動によって背部支持フレームの前後長さ方向の中間部から出没可能な上記腰部押上げバーを取付けているので、背部支持フレームを起立させると、その起立動作に連動して腰部の背方に設けているリンク部材を背部支持フレームから突出させて該リンク部材に一体に設けているアーム片間に連結した腰部押上げバーにより身体の腰部背方のマットレス部分を押し上げ、そのマットレス部分によって腰部の背面に沿って押接する凸部を形成することができる。
【００１４】
従って、背部支持フレームの起立中において、腰部押上げバーの作動により徐々に突出高さが高くなるマットレス部分の上記凸部を形成することができ、この凸部によって身体の腰部を係止状態に支持して背部支持フレームに凭れさせている上半身がその荷重によって下方にずれようとするのを抑制しながら円滑に身体を起こすことができると共に、起立した状態においては、最大限にまで突出高さが高くなったマットレス部分の凸部によって腰部を支持し、尻部が脚部側にずれたり、身体が前屈み状態になるのを確実に防止して、上述したように、姿勢の良い安定した状態で長時間に亘り安楽な起立姿勢を保持することができる。
【００１５】
さらに、背部支持フレームを起立状態から倒伏させる際には、腰部押上げバーが後退しながらこの腰部押上げバーによって形成された上記マットレスの凸部により腰部を係止状態に支持して上半身が背部支持フレームに沿って下方にずれるのを抑止しながら倒伏させることができる。また、背部支持フレームが水平状態にまで倒伏すると、腰部押上げバーによるマットレスの凸部が消失して安楽な仰臥姿勢でもって就寝することができる。
【００１６】
請求項３に係る発明によれば、背部支持フレームの両側部背方におけるベッドフレームの両側下部にモータ駆動によって上下方向に回動して背部支持フレームを起伏させる杆体を配設していると共に、背部支持フレームの基端枢着部の前方近傍部におけるベッドフレームの両側枠部に基端リンク片を前後方向に回動自在に枢着すると共にこの基端リンク片の先端を中間リンク片を介してこの中間リンク片の上端部に腰部押上げバーを設けているアーム片を有するリンク部材の下端部を枢着しているので、上記杆体によって背部支持フレームを起立させると、この起立動作に連動してリンク部材を後方に回動させてアーム片間に連結している腰部押上げバーを背部支持フレームの起立度に応じた突出度でもって背部支持フレームから突出させることができ、このような簡単な構造によって腰部押上げバーによりマットレスを押し上げて、上述したように腰部を支持する凸部を形成することができる。
【００１７】
また、請求項４に係る発明によれば、背部支持フレームの先端部に頭部支持フレームを起伏自在に枢着すると共に、この頭部支持フレームの背面にモータ駆動によって上下方向に回動する杆体の先端部を連結してこの杆体の作動によって起伏する頭部支持フレームの起伏動作に連動して背部支持フレームを起伏させるように構成しているので、杆体の回動によって頭部支持フレームを押し上げながら、この頭部支持フレームから背部支持フレーム上に載置して上半身を支持しているマットレス部分を背部支持フレームと一体に起立させることができると共に、背部支持フレームの起立角度が大きくなるに従って頭部支持フレームの起立角度も大きくなって頭部を簡単に楽な姿勢に保持することができる。
【発明を実施するための最良の形態】
【００１８】
次に、本発明の具体的な実施の形態を図面について説明すると、図１は背部支持フレームを起立させた状態のベッドのフレーム全体の簡略斜視図、図２はその側面図であって、平面縦長矩形枠状に形成しているベッドフレーム１上に頭部支持フレーム２と、背部支持フレーム３と、尻部支持フレーム４と、脚部支持フレーム５とを頭部支持フレーム２を先端側（前端側）にして順次、連結した状態で配設して、マットレス16の載置フレームを形成している。
【００１９】
頭部支持フレーム２は横方向に長い先端フレーム部2aの両側端に背部支持フレーム３側に向かって長さが短い両側フレーム部2b、2bを屈折、形成してなり、この両側フレーム部2b  、2bの端部を背部支持フレーム３の両側フレーム部3a、3aの先端部に起伏方向に回動自在に枢着20、20していると共にその両側フレーム部2b、2bの端部間に横連結フレーム部2cを連結し、この横連結フレーム部2cの両側部と先端フレーム部2aの両側部とを縦連結フレーム部2d、2dによって連結している。
【００２０】
背部支持フレーム３は、両側フレーム部3a、3aの先端部対向面間と基端部対向面間とをそれぞれ横連結フレーム部3b、3cによって連結して矩形枠状に形成されていると共に、両側フレーム部3a、3aの長さ方向の中間部間を前後方向に一定間隔を存して並設している中間連結フレーム部3d、3dによって連結してあり、さらに、上記先端側の横連結フレーム部3bと前側（先端側）の中間連結フレーム部3dとの両側端部間を縦連結フレーム部3e、3eによって連結していると共に後側の中間連結フレーム部3dと基端部側（後端部側）の上記横連結フレーム部3cとの中央部間を中央縦連結フレーム部3fによって連結している。
【００２１】
そして、この背部支持フレーム３の両側フレーム部3aの基端部（後端部）をベッドフレーム１の両側枠部1a、1aの長さ方向の中央部上に前後方向に摺動自在に載せている尻部支持フレーム４の両側フレーム部4a、4aの先端部（前端部）に起伏自在に枢着21、21している。尻部支持フレーム４は、その両側フレーム部4a、4aの先端部対向面間と基端部対向面間とをそれぞれ横連結フレーム部4b、4cによって連結して矩形枠状に形成されていると共に必要に応じて補強フレーム部を設けている。
【００２２】
脚部支持フレーム５は前半枠部5Aと後半枠部5Bとに分割されていて、前半枠部5Aの両側フレーム部5a、5aの後端（基端）と後半枠部5Bの両側フレーム部5b、5bの前端（先端）とを互いに逆Ｖ字状（山形状）に屈折自在に枢着23、23して身体の脚部を膝部から屈折させるように形成していると共に前半枠部5Aの両側フレーム部5a、5aの前端を上記尻部支持フレーム４の両側フレーム部4a、4aの後端に起伏自在に枢着22、22している。なお、これらのこの前半枠部5Aと後半枠部5Bとは上記両側フレーム部5a、5a間、5b、5b間を連結している横連結フレーム部によって横長の矩形枠状に形成されていると共に後半枠部5Bの幅方向の中央部に縦連結フレーム5cを一体に設けている。
【００２３】
上記背部支持フレーム３の両側縦連結フレーム3e、3eの基端部には、図３に示すように一定長さのリンク部材６、６の上端部をピンにより前後方向に回動自在に枢着24、24していると共に、このリンク部材６の後面における長さ方向の中央部にＬ字状に屈折したアーム片７を後方に向かって突設してあり、これらの両側アーム片７、７の先端部（上端部）対向面間に腰部押上げバー８を連結している。そして、上記上端枢着部24を支点としてリンク部材６が後方に回動した時には腰部押上げバー８が中間連結フレーム部3dから背部支持フレーム３の正面側に突出し、前方に回動した時には腰部押上げバー８が中間連結フレーム部3dから背部支持フレーム３の背面側に後退するように構成している。この腰部押上げバー８の作動は、後述するように背部支持フレーム３の起伏動作に連動して行われるように構成している。
【００２４】
アーム片７、７をそれぞれ一体に突設している上記リンク部材６、６の下端部は、図７〜図９に示すように、リンク部材６よりも長い中間リンク片9aを介して背部支持フレーム３と尻部支持フレーム４との枢着部21の前方近傍部におけるベッドフレーム１の両側枠部1a、1aの内側面に基端（上端）を前後方向に回動自在に枢着25、25している基端リンク片9bの先端（下端）に連結している。詳しくは、中間リンク片9aの上端部に長孔10を設けてこの長孔10にリンク部材６、６の下端部を回動自在に枢着26していると共に、中間リンク片9aの下端部を該中間リンク片9aよりも短い基端リンク片9bの先端に回動自在に枢着27している。なお、上記長孔10はリンク部材６と中間リンク片9aとの回動動作が無理なく余裕をもって円滑に行わせるために設けているものであって、円形状の孔でもってピンにより枢着した構造であっもよい。
【００２５】
また、背部支持フレーム３の基端部背方におけるベッドフレーム１の下面にモータ11を装着していると共に背部支持フレーム３の両側フレーム部3a、3aの下方に、これらのフレーム部3a、3aに沿って一定長さを有する杆体12、12を配設して、これらの杆体12、12の基端部を上記モータ11の駆動より往復回動する回動軸11a に連結して、該回動軸11a の回転により上下方向に回動させるように構成している。これらの杆体12、12の先端部には該杆体12の長さ方向に対して上方に向かって突設している支持アーム12a の基端部を前後方向に回動自在に枢着していると共にこの支持アーム12a の先端を上記頭部支持フレーム２の両側縦連結フレーム2d、2dの背面に回動自在に枢着して、杆体12、12を起伏方向に回動させることによって頭部支持フレーム２を介して背部支持フレーム３を起伏させるように構成している。
【００２６】
さらに、背部支持フレーム３の中央縦連結フレーム3fと上記脚部支持フレーム５における後半枠部5Bの中央縦連結フレーム5cとに、下方に向かってブラケット13、14をそれぞれ突設していると共にこれらのブラケット13、14間をワイヤ等の索条物15によって連結している。そして、上記ベッドフレーム１上に配設している頭部支持フレーム２と、背部支持フレーム３と、尻部支持フレーム４と、脚部支持フレーム５とからなるフレーム上にマットレス16を載置してベッドを構成している。
【００２７】
このように構成したので、図４に示すように、背部支持フレーム３がベッドフレーム１上に水平状に倒伏している状態において、モータ11を駆動してその回動軸11a の回転力により両側杆体12、12を伏した状態から起立させていくと、図５から図６に示すように、頭部支持フレーム２が持ち上げられて、該頭部支持フレーム２上のマットレス先端部分と共にこの先端部分に受止されている頭部も一体に持ち上げられ、この頭部の持ち上がりによって背部支持フレーム３に支持されている上半身が背部支持フレーム３の基端部と尻部支持フレーム４の先端部との枢着部21を支点してマットレス16を介して背部支持フレーム３と共に徐々に起立する。
【００２８】
さらに、背部支持フレーム３の起立に伴って、この背部支持フレーム３の両側縦連結フレーム部3e、3eに吊支状態でその上端部を枢着24しているリンク部材６、６が上方に引き上げられる。この際、背部支持フレーム３が水平状態にある時には、図７に示すように、基端リンク片9bの下端にその基端を枢着している中間リンク片9aが基端リンク片9bから前方に向かって水平状に配設されていると共に、リンク部材６、６から突設しているアーム片７、７間に取付けた腰部押上げバー８がマットレス16側からの荷重によって抑えられるので、背部支持フレーム３の起立開始時にはリンク部材６が前後方向に回動することなく背部支持フレーム３の両側フレーム部3aに対して前方に向かって斜め下方に一定の角度を保持した状態で背部支持フレーム３と一体的に持ち上がる。
【００２９】
そして、背部支持フレーム３の基端枢着部21を中心としてリンク部材６が一体に持ち上がると、該リンク部材６と中間リンク片9aとの枢着部26が上記枢着部21を中心とする軌跡上を移動しようとするが、中間リンク片9aと枢着している基端リンク片9bの基端枢着部25は背部支持フレーム３の基端枢着部21よりも前方位置に設けられているので、リンク部材６が背部支持フレーム３と一体的に持ち上げられる一定の小角度、例えば約30度だけ起立した状態からさらに起立していくと、リンク部材６と中間リンク片9aとの上記枢着部26が基端リンク片9bの基端枢着部25に向かって、即ち、これらの枢着部24、25間の距離を縮小させる方向に移動して中間リンク片9aと基端リンク片9bとが互いにこれらのリンク片のなす角度が小さくなる方向にＶ字状に屈折しながら、く字状に連結しているリンク部材６と中間リンク片9aとが枢着部26を支点として互いに開く方向に回動することになる。
【００３０】
そして、この回動によって、リンク部材６と中間リンク片9aとが、基端リンク片9bを介してこの基端リンク片9bの基端枢着部25と上記リンク部材６の上端枢着部24を支点する突っ張り作用を行うと共に、リンク部材６が上端枢着部24を支点として下方に向かって垂直状態になろうとする方向への回動によってこれらの両側リンク部材６、６に突設しているアーム片７、７間に支持された腰部押上げバー８が背部支持フレーム３の正面側に向かって徐々に強制的に突出させられる。
【００３１】
背部支持フレーム３からのこの腰部押上げバー８の突出によって、該背部支持フレーム３に載置しているマットレスにおける身体の腰部に対応する部分がその背面側から押し上げられて該マットレス部分を腰部に向かって湾曲させ、その湾曲部によって腰部の背面に押接する凸部16a が形成される。
【００３２】
背部支持フレーム３の起立角度が大きくなるに従ってこの背部支持フレーム３から正面側に突出する腰部押上げバー８の突出量が大きくなり、従って、マットレス16の上記凸部16a の高さが高くなってその凸部16a により身体の腰部が係止状態に支持され、背部支持フレーム３上に支持されている上半身が起立中においてマットレス上で下方にずれるのを抑止することができる。
【００３３】
さらに、背部支持フレーム３の起立後においてもその凸部16a によって腰部を係止状態に支持し、上半身が前屈み状態になるのを防止ながら安楽な姿勢を保持することができ、また、頭部支持フレーム２も垂直状態に起立して頭部を安定した状態で支えることができる。なお、背部支持フレーム３の起立開始と同時に、腰部押上げバー８が背部支持フレーム３から突出する方向に作動するように、リンク部材６と中間リンク片9a、基端リンク片9bからなるリンク機構を構成しておいてもよい。
【００３４】
一方、背部支持フレーム３が起立するに従ってその下端部の中央縦連結フレーム3fに突設しているブラケット13の先端が前方に移動して該ブラケット13と脚部支持フレーム５の後半枠部5Bの中央縦連結フレーム5cに突設しているブラケット14間に連結した索条物15を引き寄せ、その引き寄せ力によって脚部支持フレーム５の前後枠部5A、5Bが互いに連結していてる枢着部23から上方に向かって山形状に屈折し、脚部を膝部から折り曲げた状態で支持することができる。なお、この脚部支持フレーム３の前後枠部5A、5Bの屈折は、背部支持フレーム３の起立に連動させることなく、例えば、別途に装着した油圧シリンダによって屈折、伸長させるように構成しておいてもよい。また、前後枠部5A、5Bに分割することなく屈折不能な平坦な脚部支持フレームに形成しておいてもよい。
【００３５】
次に、モータ11の回動軸11a を逆方向に回動させて杆体12を倒伏する方向に回動させることにより背部支持フレーム３を起立状態から図６に示すように、中間位置まで徐々に倒伏させると、リンク部材６と中間リンク片9aとが前方に向かって互いにく字状に折り畳まれながら腰部押上げバー８が背部支持フレーム３の正面に向かって徐々に後退する。この腰部押上げバー８の後退中においても、背部支持フレーム３が起立状態から所定角度まで伏動する間は該腰部押上げバー８によってマットレスの凸部16a が形成されているので、背部支持フレーム３の倒伏中においても腰部を係止状態に支持させておくことができる。  
【００３６】
そして、この状態からさらに背部支持フレーム３が伏動すると、腰部押上げバー８が背部支持フレーム３の正面側から下方に没入した状態となるが、背部支持フレーム３の起立角度が小さいので上半身がずれることなく仰臥状態にすることができる。なお、以上の実施例においては、腰部押上げバー８を両側リンク部材６、６に突設しているアーム片７、７間に取付けて中間リンク片9aや基端リンク片9b等のリンク機構を介し、背部支持フレーム３の起伏動作に連動して該背部支持フレーム３から出没させるように構成しているが、背部支持フレーム３に連結することなく、例えば、背部支持フレーム３の長さ方向の両側端面を支持片によって支持させ、この支持片を背部支持フレームの起伏動作に連動して作動する油圧シリンダやその他の駆動機構に連結、支持させた構造としておいてもよい。
【図面の簡単な説明】
【００３７】
【図１】ベッドのフレーム全体の簡略斜視図。
【図２】その側面図。
【図３】要部の拡大斜視図。
【図４】背部支持フレームを倒伏させた状態のベッドの側面図。
【図５】起立開始状態を示す側面図。
【図６】背部支持フレームを中間位置まで起立させた状態の側面図。
【図７】腰部押上げバーの作動機構を示す側面図。
【図８】腰部押上げバームが上方に持ち上げられた状態の側面図。
【図９】腰部押上げバーが背部支持フレームから突出した状態の側面図。
【符号の説明】
【００３８】
１  ベッドフレーム
２  頭部支持フレーム
３  背部支持フレーム
４  尻部支持フレーム
５  脚部支持フレーム
5A  前半枠部
5B  後半枠部
６  リンク部材
７  アーム片
８  腰部押上げバー
9a  中間リンク片
9b  基端リンク片
10  長孔
11  モータ
12  杆体
16  マットレス
【図１】
2009247628.tif 000003
【図２】
2009247628.tif 000004
【図３】
2009247628.tif 000005
【図４】
2009247628.tif 000006
【図５】
2009247628.tif 000007
【図６】
2009247628.tif 000008
【図７】
2009247628.tif 000009
【図８】
2009247628.tif 000010
【図９】
2009247628.tif 000011